(57)【要約】【課題】肌や体調に対する近赤外線量の影響を分析する為の分析処理装置を提供することを解決すべき課題とする。【解決手段】肌及び／又は体調に対する近赤外線の影響を分析する為の分析処理装置であって、地域、測定時期及び近赤外線量を含む複数項目の項目情報からなる近赤外線データ並びに地域、取得時期及び回答を含む複数項目の項目情報からなる利用者データを取得する取得手段と、共通する地域に関する前記近赤外線データ及び利用者データを用いて、分析処理する分析処理手段と、を備え、前記分析処理は、入力された前記近赤外線データ及び利用者データに基づいて、分析結果を算出する処理を含むことを特徴とする。【選択図】図１
2020071701.tif 000002
【特許請求の範囲】
【請求項１】
肌及び／又は体調に対する近赤外線の影響を分析する為の分析処理装置であって、
地域、測定時期及び近赤外線量を含む複数項目の項目情報からなる近赤外線データ並びに地域、取得時期及び回答を含む複数項目の項目情報からなる利用者データを取得する取得手段と、
共通する地域に関する前記近赤外線データ及び利用者データを用いて、分析処理する分析処理手段と、を備え、
前記分析処理は、入力された前記近赤外線データ及び利用者データに基づいて、分析結果を算出する処理を含むことを特徴とする分析処理装置。
【請求項２】
前記地域に関する項目情報を、所定の項目情報に変換処理する変換処理手段を備え、
前記分析処理は、前記変換処理によって与えられる項目情報に基づいて、地域を対応付けられた前記近赤外線データ及び利用者データを用いることを特徴とする請求項１に記載の分析処理装置。
【請求項３】
前記近赤外線データは、地表において測定した地上近赤外線データ及び地表での反射光を測定した反射光赤外線データを含むことを特徴とする請求項１又は請求項２に記載の分析処理装置。
【請求項４】
前記分析処理は、入力された前記近赤外線データに含まれる１又は複数の項目及び入力された利用者データの１又は複数の項目の組み合わせに基づいて、分析結果として項目の相関を算出することを特徴とする請求項１〜３の何れかに記載の分析処理装置。
【請求項５】
アンケート及び／又は問診の回答時期に関する情報を含み、期間指定設問に対する回答項目について指定の期間が対応付けられたデータを用いて、前記利用者データを生成する利用者データ生成手段を備え、
前記回答時期に関する情報及び前記指定の期間を用いて得られる暴露時期を前記取得時期、前記期間指定設問に対する回答項目を前記回答として、前記利用者データを生成することを特徴とする請求項１〜４の何れかに記載の分析処理装置。
【請求項６】
前記分析処理は、更に、気象データを用いて行われることを特徴とする請求項１〜５の何れかに記載の分析処理装置。
【請求項７】
前記分析結果に基づいて、地域別に入力された近赤外線量を用いて、前記近赤外線量に基づく肌及び／又は健康に対する影響度予測を地域別に行う予測手段を備えることを特徴とする請求項１〜６の何れかに記載の分析処理装置。
【請求項８】
肌及び／又は体調に対する近赤外線の影響を機械学習する為の機械学習装置であって、
地域、測定時期及び近赤外線量を含む複数項目の項目情報からなる近赤外線データ並びに地域、取得時期及び回答を含む複数項目の項目情報からなる利用者データを取得する取得手段と、
前記近赤外線データ及び利用者データを用いて、学習処理する学習処理手段と、を備え、
前記学習処理は、入力された前記近赤外線データ及び利用者データに基づいて前記近赤外線データに基づく肌及び／又は健康に対する影響度予測を行う為の影響度予測モデルについて、パラメータを更新する処理を含むことを特徴とする機械学習装置。
【請求項９】
肌及び／又は体調に対する近赤外線の影響を分析する為の分析処理方法であって、
地域、測定時期及び近赤外線量を含む複数項目の項目情報からなる近赤外線データ並びに地域、取得時期及び回答を含む複数項目の項目情報からなる利用者データを取得するステップと、
共通する地域に関する前記近赤外線データ及び利用者データを用いて、分析処理するステップと、をコンピュータが実行し、
前記分析処理は、入力された前記近赤外線データ及び利用者データに基づいて、分析結果を算出する処理を含むことを特徴とする分析処理方法。
【発明の詳細な説明】
【技術分野】
【０００１】
本発明は、肌及び／又は体調に対する近赤外線の影響を分析する為の分析処理装置、分析処理方法および機械学習装置に関する。
【背景技術】
【０００２】
人の体調は周囲の環境から大きく影響を受けており、体調管理においては、その時の気温、天気、気圧等、様々な要素を考慮する必要がある。従来から、このような周囲の環境を考慮した体調管理を支援する為の技術が知られている。
【０００３】
例えば、特許文献１には、ユーザの周辺環境情報を取得してユーザの体調を推測することで、体調管理に係る入力を簡単に行うことができる体調管理支援装置が記載されている。
【先行技術文献】
【特許文献】
【０００４】
【特許文献１】特開２０１７−１８２３５０号公報
【発明の概要】
【発明が解決しようとする課題】
【０００５】
ところで、研究により、日光に含まれる近赤外線が、人の体調に悪影響をもたらすことが分かっている。特に、真皮線維芽細胞において、肌の組織形成・維持修復など多様な役割を果たす重量な生体成分であるバーシカンの産生を減少させることが知られており、近赤外線による影響への対策が求められている。
【０００６】
しかしながら、近赤外線が暴露することにより、個々人の肌や体調に、どのような状態をもたらすかについては、いまだ十分に分かっていなかった。
【０００７】
本発明は、上記のような実情に鑑みてなされたものであり、肌や体調に対する近赤外線量の影響を分析する為の分析処理装置を提供することを課題とする。
【課題を解決するための手段】
【０００８】
上記課題を解決するために、本発明は、肌及び／又は体調に対する近赤外線の影響を分析する為の分析処理装置であって、
地域、測定時期及び近赤外線量を含む複数項目の項目情報からなる近赤外線データ並びに地域、取得時期及び回答を含む複数項目の項目情報からなる利用者データを取得する取得手段と、
共通する地域に関する前記近赤外線データ及び利用者データを用いて、分析処理する分析処理手段と、を備え、
前記分析処理は、入力された前記近赤外線データ及び利用者データに基づいて、分析結果を算出する処理を含むことを特徴とする。
【０００９】
また、本発明は、肌及び／又は体調に対する近赤外線の影響を分析する為の分析処理方法であって、
地域、測定時期及び近赤外線量を含む複数項目の項目情報からなる近赤外線データ並びに地域、取得時期及び回答を含む複数項目の項目情報からなる利用者データを取得するステップと、
共通する地域に関する前記近赤外線データ及び利用者データを用いて、分析処理するステップと、をコンピュータが実行し、
前記分析処理は、入力された前記近赤外線データ及び利用者データに基づいて、分析結果を算出する処理を含むことを特徴とする。
【００１０】
また、本発明は、肌及び／又は体調に対する近赤外線の影響を機械学習する為の機械学習装置であって、
地域、測定時期及び近赤外線量を含む複数項目の項目情報からなる近赤外線データ並びに地域、取得時期及び回答を含む複数項目の項目情報からなる利用者データを取得する取得手段と、
前記近赤外線データ及び利用者データを用いて、学習処理する学習処理手段と、を備え、
前記学習処理は、入力された前記近赤外線データ及び利用者データに基づいて前記近赤外線データに基づく肌及び／又は健康に対する影響度予測を行う為の影響度予測モデルについて、パラメータを更新する処理を含むことを特徴とする。
【００１１】
このような構成とすることで、近赤外線データ及び利用者データを用いて、肌及び／又は健康に対する影響分析や、予測ができる。
【００１２】
本発明の好ましい形態では、前記地域に関する項目情報を、所定の項目情報に変換処理する変換処理手段を備え、
前記分析処理は、前記変換処理によって与えられる項目情報に基づいて、地域を対応付けられた前記近赤外線データ及び利用者データを用いることを特徴とする。
このような構成とすることで、地域を対応させ、地域別の分析や予測を行うことが可能となる。
【００１３】
本発明の好ましい形態では、前記近赤外線データは、地表において測定した地上近赤外線データ及び地表での反射光を測定した反射光赤外線データを含むことを特徴とする。
【００１４】
本発明の好ましい形態では、前記分析処理は、入力された前記近赤外線データに含まれる１又は複数の項目及び入力された利用者データの１又は複数の項目の組み合わせに基づいて、分析結果として項目の相関を算出することを特徴とする。
このような構成とすることで、相関の分析を行い、予測モデルの作成や学習器の設計に利用することが可能となる。
【００１５】
本発明の好ましい形態では、アンケート及び／又は問診の回答時期に関する情報を含み、期間指定設問に対する回答項目について指定の期間が対応付けられたデータを用いて、前記利用者データを生成する利用者データ生成手段を備え、
前記回答時期に関する情報及び前記指定の期間を用いて得られる暴露時期を前記取得時期、前記期間指定設問に対する回答項目を前記回答として、前記利用者データを生成することを特徴とする。
このような構成とすることで、期間や時期を加味して、近赤外線量による影響の分析等を行うことが可能となる。
【００１６】
本発明の好ましい形態では、前記分析処理は、更に、気象データを用いて行われることを特徴とする。
このような構成とすることで、気象状態を加味して、近赤外線量による影響の分析等を行うことが可能となる。
【００１７】
本発明の好ましい形態では、前記分析結果に基づいて、地域別に入力された近赤外線量を用いて、前記近赤外線量に基づく肌及び／又は健康に対する影響度予測を地域別に行う予測手段を備えることを特徴とする。
このような構成とすることで、近赤外線量による影響の予測を行うことが可能となる。
【発明の効果】
【００１８】
本発明によれば、肌や体調に対する近赤外線量の影響を分析する為の分析処理装置を提供することができる。
【図面の簡単な説明】
【００１９】
【図１】本発明の実施形態１に係る処理システムのシステム構成を示す図である。
【図２】本発明の実施形態１に係る端末装置のハードウェア構成図である。
【図３】本発明の実施形態１に係る分析処理装置のハードウェア構成図である。
【図４】本発明の実施形態１に係る近赤外線データ、利用者データの取得に係る処理フローチャートである。
【図５】本発明の実施形態１に係るアンケートデータ、期間指定データ、利用者データの一例を示す図である。
【図６】本発明の実施形態１に係る分析処理に係る処理フローチャートである。
【図７】本発明の実施形態１に係る地域別予測画面の画面表示例である。
【図８】本発明の実施形態２に係る機械学習装置のハードウェア構成図である。
【図９】本発明の実施形態２に係る学習処理に係る処理フローチャートである。
【発明を実施するための形態】
【００２０】
＜実施形態１＞
以下、図面を用いて、本発明の第１実施形態に関する処理システムについて説明する。なお、以下に示す実施形態は本発明の一例であり、本発明を以下の実施形態に限定するものではなく、様々な構成を採用することもできる。
【００２１】
本実施形態では処理システムの構成、動作等について説明するが、同様の構成の方法、処理装置、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２２】
＜処理システムの構成＞
一実施の形態における構成を示す図１を参照すると、処理システムは処理システム１として具体化されている。
【００２３】
この処理システム１は、分析処理装置２、端末装置３、ウェブサーバ４及び通信ネットワークＮＷを備える。分析処理装置２は、端末装置３と通信ネットワークＮＷを介して連携し、端末装置３を介して、分析処理の為の情報のデータ入力や、データ入力が可能に構成される。また、分析処理装置２は、衛星データ提供サーバＳＳと通信ネットワークＮＷを介して通信可能に構成され、衛星データ提供サーバＳＳより、衛星データを取得する。
【００２４】
ウェブサーバ４は、端末装置３からの表示処理に基づいて、分析処理装置２での分析処理結果に基づくウェブページを表示処理し、その表示処理結果を送信する。
【００２５】
通信ネットワークＮＷは、インターネットなどのＩＰ（Internet Protocol）網などとから構成される。通信ネットワークＮＷは、分析処理装置２、端末装置３及び衛星データ提供サーバＳＳをそれぞれ収容し、分析処理装置２、端末装置３及び衛星データ提供サーバＳＳは、通信ネットワークＮＷを介してデータ通信を行うためのＩＰアドレスを、それぞれ割り当てられている。なお、以下の説明では、不明確にならない限り通信ネットワークＮＷの介在を省略する。
【００２６】
端末装置３は、コンピュータ端末（スマートフォン端末、パーソナルコンピュータ及びタブレット端末を含む）を含む単独構成または複合構成をそれぞれ採り得る。
【００２７】
更に詳述すると、処理システム１における端末装置３は、図２に例示するように、ハードウェア及び機能の構成要素を含んでいる。つまり、各端末装置３は、ハードウェア構成要素として、演算装置（ＣＰＵ（Central Processing Unit））１１と、作業用メモリとしての主記憶装置（ＲＡＭ（Random Access Memory））１２とを備える。
【００２８】
各端末装置３は、ＯＳ（Operating System）、アプリケーションプログラム、及び各種情報（データを含む）を書換え可能に格納するＨＤＤやＳＳＤ、フラッシュメモリ等の補助記憶装置１３と、通信制御部１４と、ＮＩＣ（Network Interface Card）などの通信インタフェース（ＩＦ）部１５と、表示制御部１６と、表示部１７と、情報入力・指定部１８などとを、更に備える。
【００２９】
各端末装置３において、機能構成を論理的に実現するには、補助記憶装置１３にウェブブラウザ及び端末制御プログラムなどをアプリケーションプログラムとしてインストールしておく。そして、各端末装置３においては、電源投入または利用者（ユーザ）による指示を契機に、演算装置（ＣＰＵ）１１がアプリケーションプログラムを主記憶装置（ＲＡＭ）１２に展開して実行する。
【００３０】
分析処理装置２は、データ通信機能を有し、図３に例示するように、ハードウェア及び機能の構成要素を含んでいる。すなわち、分析処理装置２は、ハードウェア構成要素として、演算装置（ＣＰＵ（Central Processing Unit））２１と、作業用メモリとしての主記憶装置（ＲＡＭ（Random Access Memory））２２とを備える。
【００３１】
分析処理装置２は、ＯＳ（Operating System）、アプリケーションプログラム、及び各種情報（データを含む）を書換え可能に格納するＨＤＤやＳＳＤ、フラッシュメモリ等の補助記憶装置２３と、通信制御部２４と、ＮＩＣ（Network Interface Card）などの通信インタフェース（ＩＦ）部２５などとを、更に備える。
【００３２】
分析処理装置２は、衛星データ提供サーバＳＳより取得した衛星データとしての近赤外線量を用いて、地表での肌に対する近赤外線の影響を分析処理する為の処理装置である。以下では、地上から反射した近赤外線量を人工衛星ＳＡが宇宙空間において測定することで得られ、衛星データ提供サーバＳＳを介して分析処理装置２に提供される反射近赤外線量と、肌及び／又は体調に関するデータとして、データベースＤＢに格納されたアンケートデータを用いて、分析処理を行う場合について例示する。
【００３３】
ここで、反射近赤外線量に加えて、地上における近赤外線量を測定することで得られる地上近赤外線量や、気温、湿度、風速等に関する気象データの１又は複数を用いてもよい。また、アンケートデータに加えて／又は代えて、利用者の肌状態を測定した測定データ、医師や美容アドバイザーなどによる問診データ若しくは、アンケートの回答、測定結果及び問診結果の１又は複数が対応付けられたデータを用いて、分析処理を実施しても構わない。
【００３４】
＜分析処理装置の機能構成要素＞
分析処理装置２は、機能構成要素として、格納手段２０１と、近赤外線データ生成手段２０２と、変換処理手段２０３と、利用者データ生成手段２０４と、取得手段２０５と、分析処理手段２０６と、予測手段２０７と、データベースＤＢ１〜４と、を備えている。
【００３５】
分析処理装置２において上述した機能構成要素を論理的に実現するには、補助記憶装置２３に、分析処理プログラムをアプリケーションプログラムとしてインストールしておく。そして、分析処理装置２においては、電源投入を契機に、演算装置（ＣＰＵ）２１がこの処理プログラムを主記憶装置（ＲＡＭ）２２に展開して実行する。
【００３６】
＜近赤外線データの取得＞
図４（ａ）は、近赤外線データの取得に係る処理フローチャートである。まず、ステップＳ１１において、格納手段２０１は、衛星データ提供サーバＳＳを介して取得した衛星データを受け取り、データベースＤＢ１に格納する。衛星データには、測定日時と、位置情報と、が対応づけられている。本実施形態では、当該衛星データは、画像ファイルの形式にて、衛星データ提供サーバＳＳより提供される。例えば、ＬＡＮＤＳＡＴ衛星、ＰＬＥＩＡＤＥＳ衛星などから得られる観測データがある。これらにより、ＮＩＲ（Near InfraRed）バンドの波長域の衛星データが取得される。
【００３７】
ステップＳ１２において、近赤外線データ生成手段２０２は、データベースＤＢ１に格納された衛星データを解析し、地域別の近赤外線量を算出して、データベースＤＢ２に格納する。そして、ステップＳ１３において、算出された近赤外線量、衛星データの一情報に基づく地域及び衛星データの測定日時に基づく測定時期を含む複数項目の項目情報からなる近赤外線データを取得する。変換処理手段２０３は、衛星データに対応付けられた地域に関する項目情報としての位置情報を、分析の為の所定の項目情報に変換処理し、近赤外線データの地域項目に係る項目情報が設定される。
【００３８】
変換処理される地域は、地方や、都道府県レベルであってもよいし、市区町村やもっと細かい単位に設定されてもよい。衛星データに含まれる全体又は所定の地域の近赤外線量は、衛星データに含まれる各地点の近赤外線量を用いて演算処理し、求められる。同様に、ある地域に属する対応する測定日時の衛星データを複数用いて、各地域の各時点での近赤外線量が演算処理される。近赤外線データ生成手段２０２は、地域ごとの各時点の近赤外線量が１又は複数の衛星データを用いて算出され、分析処理に利用される。
【００３９】
＜利用者データの取得＞
図４（ｂ）は、利用者データの取得に係る処理フローチャートである。まず、ステップＳ２１において、格納手段２０１は、アンケートデータを受け取り、データベースＤＢ３に格納する。図５（ａ）は、データベースＤＢ３に格納されたアンケートデータの一例を示す図である。アンケートデータには、アンケートの回答時期（年月や、年月日等）と、地域情報と、設問に対する回答と、が対応づけられている。地域情報は、例えば、アンケートデータを実施した会場の所在や利用者（アンケート回答者）の所在であってもよいし、利用者が所属する地域を問う設問に対する回答として、選択・記入されたものであってもよい。
【００４０】
更に、アンケートの設問の一部又は全部は、アンケート日時（回答時期）より過去の期間を指定して、利用者より回答を行わせる形式の期間指定設問であってよい。例えば、「過去２ヵ月間で起こった肌の不調を以下から選択してください。」、「過去２年間で起こった肌の不調を以下から選択してください。」といった形式で、アンケート日時（回答時期）より過去の期間に対する回答を、選択形式や択一形式により受け付ける。
【００４１】
期間指定設問に対しては、その期間を指定する為の期間指定データが対応付けられ、データベースＤＢ３に記憶される。図５（ｂ）は、期間指定データの一例を示す図である。例えば、アンケートＩＤ「１８１０」のアンケートについては、２ヵ月の期間が指定された期間指定設問（図示例における問題３−１〜４−２）と、２４ヵ月の期間が指定された期間指定設問（図示例における問題５−１〜）と、が含まれる。
【００４２】
以上から、アンケートデータには、アンケートの回答時期に関するメタ項目及び回答項目及び地域情報が対応付けられ、更に期間指定設問に対する回答項目について指定の期間が対応付けられている。
【００４３】
利用者データ生成手段２０４は、アンケートデータを用いて、回答時期に関する情報及び指定期間を用いて得られる暴露時期を取得時期、期間指定設問に対する回答項目を回答の項目とした利用者データを生成する。
【００４４】
例えば、ステップＳ２２において、アンケートデータより指定期間別に期間指定設問を取得し、アンケートの回答時期に関するメタ情報及び期間指定設問の指定期間を用いて暴露時期を推定し、暴露時期別の解答項目を取得する（ステップＳ２３）。
【００４５】
そして、ステップＳ２４において、変換処理手段２０３は、アンケートデータに対応付けられた地域に関する項目情報を、分析の為の所定の項目情報に変換処理する。ステップＳ２５において、利用者データ生成手段２０４は、地域、暴露時期（取得時期）及び回答を含む複数項目の項目情報からなる利用者データを取得し、データベースＤＢ４に格納する。
【００４６】
肌及び／又は体調に関する測定結果や問診結果を利用する場合、利用者データは、回答の項目に代えて、又は加えて、測定値や問診回答の項目を含んでよい。測定結果を利用する場合には、測定日などが取得時期に相当し、利用者の所在や、利用者が所属・活動する地域、測定場所などが地域に相当する。問診結果を利用する場合には、問診に対する回答時期や、問診内容によって指定される過去の暴露時期などが取得時期に相当し、利用者の所在や、利用者が所属・活動する地域、問診場所などが地域に相当する。また、利用者データは、必ずしもデータを加工して得たものでなくてもよく、データベースＤＢに格納された肌及び／又は体調に関するデータそのものを用いる構成としても構わない。
【００４７】
図５（ｃ）は、期間指定データ及びアンケートデータの回答時期の項目によって推定される暴露時期別の利用者データの一例を示す図である。例えば、上段は、アンケートデータの回答時期項目（２０１８年１０月）から、２ヵ月前の期間が指定された期間指定設問（図示例における問題３−１〜４−２）を集計した利用者データの一例であり、下段は、２４ヵ月の期間が指定された期間指定設問（図示例における問題５−１〜）を集計した利用者データの一例である。ここで、アンケートデータの日付項目に含まれる日付を無視して算出しているが、これらを加味して暴露時期を推定しても構わない。
【００４８】
ここで、アンケートデータに対応付けられた地域は、必ずしも変換処理される必要はなく、アンケートデータに対応付けられた地域を、変換処理の目的である所定の地域とし、衛星データの地域に関する項目情報（位置情報）について変換処理する構成としてもよい。また、図示例では、推定した暴露時期を別に利用者データを集計しているが、必ずしもこのようなデータ加工処理は必要ない。
【００４９】
＜分析処理＞
図６は、分析処理に係る処理フローチャートである。ステップＳ３１において、取得手段２０５は、データベースＤＢ２に格納された地域、測定時期及び近赤外線量を含む複数項目の項目情報からなる近赤外線データ並びに、データベースＤＢ４に格納された地域、取得時期及び回答を含む複数項目の項目情報からなる利用者データを取得する。
【００５０】
分析処理手段２０６は、共通する地域に関する近赤外線データ及び利用者データを用いて分析処理し、分析結果を算出する。本実施形態では、ステップＳ３２に示すように、入力された近赤外線データに含まれる１又は複数の項目及び入力された利用者データの１又は複数の項目の組み合わせに基づいて、分析結果として項目の相関を算出する。
【００５１】
得られた相関に基づいて、例えば、入力された近赤外線量に基づく影響度を算出する予測式を設定することができる。予測手段２０７は、地域別に入力された近赤外線量を用いて、入力された近赤外線量に基づく肌及び／又は健康に対する影響度予測を行う。予測手段２０７で入力される近赤外線量は、予測した各地域の将来の近赤外線量であってもよいし、反射近赤外線量や地上近赤外線量の測定値であってもよい。
【００５２】
＜表示処理＞
ウェブサーバ４は、機能構成要素として、端末装置３からの表示処理に基づいて、分析処理装置２での分析処理結果に基づくウェブページを表示処理し、その表示処理結果を送信する表示手段４０１を備える。表示手段４０１は、地域別予測画面を表示処理して処理結果を送信し、端末装置３は前記処理結果に基づいて地域別予測画面を表示する。
【００５３】
図７は、地域別予測画面の画面表示例である。地域別予測画面Ｗ１は、入力された近赤外線量に基づいて、域別の「美肌指数」を地図上に表示している。本実施形態においては、肌状態項目のひとつとして美肌指数を扱い、近赤外線レベルに応じて予め定義された美肌指数を、地域別予測画面Ｗ１の表示に用いる。
【００５４】
＜実施形態２＞
ついで、本発明の第２実施形態について図８及び図９を参照して説明する。本実施形態では、機械学習装置６は、分析処理手段２０６に代えて、学習手段２０８を備える構成としたものである。なお、前述した第１実施形態と同様の構成については同一符号を用いて説明を簡略化する。
【００５５】
図８は、機械学習装置６のハードウェア構成図である。また、図９は、学習処理に係る処理フローチャートである。本実施形態では、第１実施形態と同様に格納手段２０１と、近赤外線データ生成手段２０２と、変換処理手段２０３と、利用者データ生成手段２０４と、を用いて、所定の地域が対応付けられた近赤外線データ及び利用者データが、データベースＤＢ２，４に格納される。
【００５６】
＜学習処理＞
取得手段２０５は、データベースＤＢ２より、地域、測定時期及び近赤外線量を含む複数項目の項目情報からなる近赤外線データを取得し、データベースＤＢ４より、地域、取得時期及び回答を含む複数項目の項目情報からなる利用者データを取得する。
【００５７】
そして、図９のステップＳ４１に示すように、対応する地域及び時期項目を含む近赤外線データ及び利用者データの組み合わせを教師データとして受け付ける。学習手段２０８は、入力された近赤外線データ及び利用者データを用いて、学習処理を行い、ステップＳ４２において、近赤外線データに基づく肌及び／又は健康に対する影響度予測を行う為の影響度予測モデルについて、パラメータの更新処理を行う。
【００５８】
＜表示処理＞
予測手段２０７は、地域別に入力された近赤外線量及び影響度予測モデルを用いて、入力された近赤外線量に基づく地域別の肌及び／又は健康に対する影響度予測を実施する。
【００５９】
ウェブサーバ４は、予測手段２０７の予測結果を利用して、端末装置３からの表示処理に基づいて、分析処理装置２での分析処理結果に基づくウェブページを表示処理し、その表示処理結果を送信する。端末装置３は表示処理結果に基づいて地域別予測画面を表示する。
【符号の説明】
【００６０】
１  処理システム
１１  演算装置（ＣＰＵ）
１２  主記憶装置（ＲＡＭ）
１３  補助記憶装置
１４  通信制御部
１５  通信インタフェース（ＩＦ）部
１６  表示制御部
１７  表示部
１８  情報入力・指定部
２  分析処理装置
２１  演算装置（ＣＰＵ）
２２  主記憶装置（ＲＡＭ）
２３  補助記憶装置
２４  通信制御部
２５  通信インタフェース（ＩＦ）部
２０１  格納手段
２０２  近赤外線データ生成手段
２０３  変換処理手段
２０４  利用者データ生成手段
２０５  取得手段
２０６  分析処理手段
２０７  予測手段
２０８  学習手段
３  端末装置
４  ウェブサーバ
４０１  表示手段
ＤＢ１〜ＤＢ４  データベース
ＮＷ  通信ネットワーク
ＳＡ  人工衛星
ＳＳ  衛星データ提供サーバ
【図１】
2020071701.tif 000003
【図２】
2020071701.tif 000004
【図３】
2020071701.tif 000005
【図４】
2020071701.tif 000006
【図５】
2020071701.tif 000007
【図６】
2020071701.tif 000008
【図７】
2020071701.tif 000009
【図８】
2020071701.tif 000010
【図９】
2020071701.tif 000011